【手続補正書】
【提出日】平成23年7月13日(2011.7.13)
【手続補正１】
【補正対象書類名】特許請求の範囲
【補正対象項目名】全文
【補正方法】変更
【補正の内容】
【特許請求の範囲】
【請求項１】
種別の異なる第１の光信号と第２の光信号を波長分割多重して、光カプラを介して接続された複数の加入者側通信装置に送信する局側通信装置であって、
第１の送信信号を出力する送信信号出力部と、
前記送信信号出力部により出力された第１の送信信号を、符号化後の符号列において同一符号の出現回数が予め規定された符号化方式により符号化する符号化部と、
前記符号化部により符号化された第１の送信信号をスクランブル符号化するスクランブル符号化部と、
前記スクランブル符号化部によりスクランブル符号化された第１の送信信号を第１の光信号に変換する第１の光変換部と、
第２の送信信号を、前記第１の光信号とは異なる波長の第２の光信号に変換する第２の光変換部と、
前記第１の光変換部により変換された第１の光信号と前記第２の光変換部により変換された第２の光信号とを波長分割多重して、前記複数の加入者側通信装置に送信する光合波部と、
を備えたことを特徴とする局側通信装置。
【請求項２】
前記送信信号出力部は、周期的な固定パターンを含む前記第１の送信信号を出力することを特徴とする請求項１記載の局側通信装置。
【請求項３】
前記符号化方式はビット数を変換して符号化を行う符号化方式であることを特徴とする請求項１または２のいずれかに記載の局側通信装置。
【請求項４】
前記符号化方式は８Ｂ／１０Ｂ変換であることを特徴とする請求項１〜３のいずれか１項に記載の局側通信装置。
【請求項５】
種別の異なる第１の光信号と第２の光信号を波長分割多重して局側通信装置から光カプラを介して接続された複数の加入者側通信装置に送信する通信システムであって、
前記局側通信装置は、
第１の送信信号を出力する送信信号出力部と、
前記送信信号出力部により出力された第１の送信信号を、符号化後の符号列において同一符号の出現回数が予め規定された符号化方式により符号化する符号化部と、
前記符号化部により符号化された前記第１の送信信号をスクランブル符号化するスクランブル符号化部と、
前記スクランブル符号化部によりスクランブル符号化された第１の送信信号を第１の光信号に変換する第１の光変換部と、
第２の送信信号を、前記第１の光信号とは異なる波長の第２の光信号に変換する第２の光変換部と、
前記第１の光変換部により変換された第１の光信号と前記第２の光変換部により変換された第２の光信号とを波長分割多重して、前記複数の加入者側通信装置に送信する光合波部と、
を備え、
前記加入者側通信装置は、
前記局側通信装置から受信した信号を第１の光信号と第２の光信号とに分離する光分波部と、
前記光分波部により分離された第１の光信号および第２の光信号をそれぞれ第１の送信信号および第２の送信信号に電気変換する第１および第２の電気変換部と、
前記第１の電気変換部により変換された第１の送信信号をスクランブル復号化するスクランブル復号化部と、
前記スクランブル復号化部によりスクランブル復号化された第１の送信信号を、前記符号化方式に対応した復号化方式により復号化する復号化部と、
を備えたこと、
を特徴とする通信システム。
【請求項６】
第２の送信信号と、符号化後の符号列において同一符号の出現回数が予め規定された符号化方式により符号化されるとともにスクランブル符号化された第１の送信信号とを波長分割多重して、局側通信装置から光カプラを介して接続された複数の加入者側通信装置に送信する通信システムに適用可能な加入者側通信装置であって、
前記局側通信装置から受信した信号を第１の光信号と第２の光信号とに分離する光分波部と、
前記光分波部により分離された第１の光信号および第２の光信号を、それぞれ第１の送信信号および第２の送信信号に電気変換する第１および第２の電気変換部と、
前記第１の電気変換部により変換された第１の送信信号をスクランブル復号化するスクランブル復号化部と、
前記スクランブル復号化部によりスクランブル復号化された第１の送信信号を、前記符号化方式に対応した復号化方式により復号化する復号化部と、
を備えたことを特徴とする加入者側通信装置。
【請求項７】
種別の異なる第１の光信号と第２の光信号を波長分割多重して局側通信装置から光カプラを介して接続された複数の加入者側通信装置に送信する通信システムに適用可能な通信方法であって、
第１の送信信号を出力する送信信号出力工程と、
前記送信信号出力工程において出力された第１の送信信号を、符号化後の符号列において同一符号の出現回数が予め規定された符号化方式により符号化する符号化工程と、
前記符号化工程において符号化された第１の送信信号をスクランブル符号化するスクランブル符号化工程と、
前記スクランブル符号化工程においてスクランブル符号化された第１の送信信号を第１の光信号に変換する第１の光変換工程と、
第２の送信信号を、前記第１の光信号とは異なる波長の第２の光信号に変換する第２の光変換工程と、
前記第１の光変換工程において変換された第１の光信号と前記第２の光変換工程において第２の光信号とを波長分割多重して、前記複数の加入者側通信装置に送信する光合波工程と、
前記局側通信装置から受信した信号を前記第１の光信号と前記第２の光信号とに分離する光分波工程と、
前記光分波工程において分離された第１の光信号を第１の送信信号に電気変換する電気変換工程と、
前記電気変換工程において変換された第１の送信信号をスクランブル復号化するスクランブル復号化工程と、
前記スクランブル復号化工程においてスクランブル復号化された第１の送信信号を、前記符号化方式に対応した復号化方式により復号化する復号化工程と、
を備えたことを特徴とする通信方法。
【請求項８】
前記スクランブル符号化工程では、前記送信信号出力工程において出力された第１の送信信号に含まれる制御パターンを検出した場合、前記スクランブル符号化工程で使用されるスクランブルパターンのリセットを行い、
前記スクランブル復号化工程では、前記電気変換工程において電気変換された第１の送信信号に含まれる制御パターンを検出した場合、前記スクランブル復号化工程で使用されるスクランブルパターンのリセットを行うこと、
を特徴とする請求項７に記載の通信方法。
【手続補正２】
【補正対象書類名】明細書
【補正対象項目名】０００６
【補正方法】変更
【補正の内容】
【０００６】
この発明に係る局側通信装置は、種別の異なる第１の光信号と第２の光信号を波長分割多重して、光カプラを介して接続された複数の加入者側通信装置に送信する局側通信装置であって、第１の送信信号を出力する送信信号出力部と、前記送信信号出力部により出力された第１の送信信号を、符号化後の符号列において同一符号の出現回数が予め規定された符号化方式により符号化する符号化部と、前記符号化部により符号化された第１の送信信号をスクランブル符号化するスクランブル符号化部と、前記スクランブル符号化部によりスクランブル符号化された第１の送信信号を第１の光信号に変換する第１の光変換部と、第２の送信信号を、前記第１の光信号とは異なる波長の第２の光信号に変換する第２の光変換部と、前記第１の光変換部により変換された第１の光信号と前記第２の光変換部により変換された第２の光信号とを波長分割多重して、前記複数の加入者側通信装置に送信する光合波部と、を備える。
【手続補正３】
【補正対象書類名】明細書
【補正対象項目名】発明の名称
【補正方法】変更
【補正の内容】
【発明の名称】局側通信装置、加入者側通信装置、通信システムおよび通信方法